(57)【要約】【課題】本発明は、入力映像信号及び入力映像制御信号に応じて映像を表示する表示装置に光源を提供する発光装置に関するものである。【解決手段】本発明は、入力映像信号及び入力映像制御信号を読取して、複数の発光画素の各々の明るさ情報を有する調光信号を生成し、調光信号に対応する複数の発光データ電圧を生成する。複数の走査ラインに印加される複数の第１走査信号及び複数の第２走査信号の各々の発生時点を制御する複数の第１パルス及び第２パルスを含む走査開始信号を生成し、複数の走査ラインに複数の発光データ電圧を印加する時点を制御するための複数の第１パルスの各々に同期する複数の第３パルス、及び第２パルスの各々に比べて所定の期間先立つ複数の第４パルスを含む水平同期開始信号を生成する。【選択図】図１
2011039474.tif 000002
【特許請求の範囲】
【請求項１】
入力映像信号及び入力映像制御信号に応じて映像を表示する表示装置に光源を提供する発光装置において、
複数の走査ライン、複数のコラムライン、及び前記表示装置の少なくとも一つの画素に前記光源を提供する複数の発光画素を具備するとともに、前記複数の走査ラインの各々は、一つのフレーム期間の間、複数の第１及び第２走査信号が対応する走査ラインに順に印加され、前記複数のコラムラインの各々には、複数の発光データ電圧が印加される表示部と、
前記入力映像信号及び前記入力映像制御信号を読取して、前記複数の発光画素の各々の明るさ情報を有する調光信号を生成し、前記調光信号に対応する複数の発光データ電圧を生成し、前記複数の第１走査信号及び複数の第２走査信号の各々の発生時点を制御する複数の第１パルス及び第２パルスを含む走査開始信号を生成し、前記複数の第１パルスの各々に同期する複数の第３パルス、及び前記第２パルスの各々に比べて所定の位相差を有する複数の第４パルスを含む水平同期開始信号を生成する制御部と、
前記複数の走査ラインに、前記走査開始信号に応じて複数の第１走査信号及び第２走査信号を順に印加する走査駆動部と、
前記複数のコラムラインに、前記水平同期開始信号に応じて複数の発光データ電圧を印加するコラム駆動部と
を具備することを特徴とする発光装置。
【請求項２】
前記制御部は、
前記複数の発光画素の各々に対応する前記表示装置の各領域の動き情報を有する複数のモーションフラグ信号を生成し、前記複数のモーションフラグ信号の各々に応じて前記調光信号の分割比率情報を有する複数の比率制御信号を生成する局部明るさ制御部と、
前記複数の比率制御信号に応じて、前記調光信号を前記第１走査信号に対応する複数の第１分割調光データ、及び前記第２走査信号に対応する複数の第２分割調光データに分割する制御部と
を具備することを特徴とする請求項１に記載の発光装置。
【請求項３】
前記局部明るさ制御部は、前記複数のモーションフラグ信号に応じて、前記調光信号に対する前記複数の第１分割調光データの比率を増減させることを特徴とする請求項２に記載の発光装置。
【請求項４】
前記局部明るさ制御部は、前記入力映像制御信号を利用してフレームを区分する同期信号、及び前記複数の発光画素各々の発光を制御する発光制御信号を生成することを特徴とする請求項２に記載の発光装置。
【請求項５】
前記制御部は、
前記複数の比率制御信号の各々に応じて、前記調光信号を前記複数の第１及び第２分割調光データに分割するデータ処理部と、
一つのフレーム単位で前記複数の第１及び第２分割調光データが各々貯蔵される、第１及び第２サブメモリを各々具備する複数のメモリと、
前記同期信号をカウンティングして生成された第１カウンティング信号及び第２カウンティング信号の各々に応じて、前記複数のメモリから前記複数の第１及び第２分割調光データを選択的にリード及びライトするフレームバッファー部と
を具備することを特徴とする請求項４に記載の発光装置。
【請求項６】
前記フレームバッファー部は、前記同期信号に同期して、前記同期信号をカウンティングして前記第１カウンティング信号を生成し、前記同期信号の半周期の分だけ遅延された時点に同期して、前記同期信号をカウンティングして前記第２カウンティング信号を生成し、
前記第１カウンティング信号及び第２カウンティング信号は、前記複数のメモリの個数を表示できるビットを有するデジタルデータに具現され、前記複数のメモリ個数の単位で反復的に変わることを特徴とする請求項５に記載の発光装置。
【請求項７】
前記フレームバッファー部は、
前記第１カウンティング信号に応じて、前記複数のメモリの順序に従って前記複数の第１及び第２分割調光データをライトすることを特徴とする請求項５に記載の発光装置。
【請求項８】
前記フレームバッファー部は、前記第１カウンティング信号に応じて、前記複数のメモリの中で、前記複数の第１及び第２分割調光データのライトが完了した第１メモリから、前記複数の第１分割調光データをリードし、
前記第２カウンティング信号に応じて、前記第１メモリから前記複数の第２分割調光データをリードすることを特徴とする請求項５に記載の発光装置。
【請求項９】
前記フレームバッファー部は、前記複数の第１及び第２分割調光データを交互にリードすることを特徴とする請求項８に記載の発光装置。
【請求項１０】
前記制御部は、前記発光制御信号を利用して、走査駆動制御信号及びコラム駆動制御信号を生成する制御信号生成部をさらに具備することを特徴とする請求項５に記載の発光装置。
【請求項１１】
前記走査駆動制御信号に応じて、前記複数の走査ラインに前記第１及び第２走査信号を印加する走査駆動部をさらに具備することを特徴とする請求項１０に記載の発光装置。
【請求項１２】
前記一つのフレーム期間は、少なくとも二つの第１フィールド及び第２フィールドに区分され、
前記走査駆動部は、前記第１フィールドに対応する前記複数の第１走査信号を前記複数の走査ラインに順に印加し、前記第２フィールドに対応する前記複数の第２走査信号を前記複数の走査ラインに順に印加することを特徴とする請求項１１に記載の発光装置。
【請求項１３】
前記第１フィールドにおいて、前記走査駆動部は、現在のフレームの前記複数の第１走査信号と直前フレームの前記複数の第２走査信号とを交互に印加する期間を具備することを特徴とする請求項１２に記載の発光装置。
【請求項１４】
前記第２フィールドにおいて、前記走査駆動部は、現在のフレームの前記複数の第２走査信号と前記複数の第１走査信号とを交互に印加する期間を具備することを特徴とする請求項１２に記載の発光装置。
【請求項１５】
前記コラム駆動制御信号に応じて、前記複数の第１及び第２分割調光データに対応する期間の間、発光データ電圧を前記複数のコラムラインに印加するコラム駆動部をさらに具備することを特徴とする請求項１０に記載の発光装置。
【請求項１６】
入力映像信号及び入力映像制御信号に応じて映像を表示する表示装置の少なくとも一つの画素に光源を提供する複数の発光画素、複数の走査ライン及び複数のコラムラインを具備する発光装置の駆動方法において、
前記入力映像信号及び前記入力映像制御信号を読取して、前記複数の発光画素の各々の明るさ情報を有する調光信号を生成する段階と、
前記調光信号に対応する複数の発光データ電圧を生成する段階と、
前記複数の走査ラインに印加される複数の第１走査信号及び複数の第２走査信号の各々の発生時点を制御する、複数の第１パルス及び第２パルスを含む走査開始信号を生成する段階と、
前記複数の走査ラインに複数の発光データ電圧を印加する時点を制御するための前記複数の第１パルスの各々に同期する複数の第３パルス、及び前記第２パルスの各々に比べて所定の位相差を有する複数の第４パルスを含む水平同期開始信号を生成する段階と
を具備することを特徴とする発光装置の駆動方法。
【請求項１７】
前記明るさ情報を有する調光信号を生成する段階は、
前記複数の発光画素の各々に対応する前記表示装置の各領域の動き情報を有する複数のモーションフラグ信号を生成する段階と、
前記複数のモーションフラグ信号の各々に応じて、前記入力映像信号に対応する複数の調光データの分割比率情報を有する複数の比率制御信号を生成する段階と、
前記複数の比率制御信号に応じて、前記調光データを、前記第１走査信号に対応する複数の第１分割調光データ、及び前記第２走査信号に対応する複数の第２分割調光データに分割する段階とを具備するとともに、
前記調光信号は、前記複数の第１分割調光データ及び前記複数の第２調光データを具備することを特徴とする請求項１６に記載の発光装置の駆動方法。
【請求項１８】
前記複数の第１及び第２分割調光データに分割する段階は、
前記複数のモーションフラグ信号の各々に応じて対応する調光データに対する、前記複数の第１分割調光データの比率を増減させる段階を具備することを特徴とする請求項１７に記載の発光装置の駆動方法。
【請求項１９】
前記入力映像制御信号は垂直同期信号を具備するとともに、
前記垂直同期信号に同期した同期信号を生成する段階と、
前記同期信号に同期して、前記同期信号をカウンティングして第１カウンティング信号を生成し、前記同期信号の半周期の分だけ遅延された時点に同期して、前記同期信号をカウンティングして第２カウンティング信号を生成する段階と、
前記第１及び第２カウンティング信号に応じて、前記複数の第１及び第２分割調光データを選択的にリード及びライトする段階と
をさらに具備することを特徴とする請求項１７に記載の発光装置の駆動方法。
【請求項２０】
前記複数の第１及び第２分割調光データを選択的にリード及びライトする段階は、
前記第１カウンティング信号に応じて、一つのフレーム単位の前記複数の第１及び第２分割調光データをライトする段階と、
前記一つのフレーム単位の前記複数の第１及び第２分割調光データのライトが完了されれば、前記第１カウンティング信号に応じて、前記複数の第１分割調光データをリードする段階と、
前記第２カウンティング信号に応じて前記複数の第２分割調光データをリードする段階とを具備するとともに、
前記複数の第１及び第２分割調光データを交互にリードする段階は繰り返されることを特徴とする請求項１９に記載の発光装置の駆動方法。
【発明の詳細な説明】
【技術分野】
【０００１】
本発明は発光装置に関するものであって、特に、電界による電子放出特性を利用して光を出す発光装置、及びその駆動方法に関する技術である。
【背景技術】
【０００２】
平板表示装置の一種類である液晶表示装置は、印加電圧に応じてよりねじれ角が変化する液晶の誘電異方性を利用して、ピクセル別に光透過量を変化させて所定の画像を具現する表示装置である。このような液晶表示装置は、代表的な画像表示装置である陰極線管と比較すると、軽量化、薄形化、及び低消費電力化などの長所を持っている。液晶表示装置は、基本的に、液晶パネル組立体と、液晶パネル組立体の後方に位置して、液晶パネル組立体に光を提供する発光装置とを具備する。
【０００３】
液晶パネル組立体が能動型液晶パネル組立体で構成される場合、この液晶パネル組立体は、一対の透明基板と、透明基板の間に位置する液晶層と、透明基板の外面に配置される偏光板と、一つの透明基板の内面に提供される共通電極と、他の一つの透明基板の内面に提供される画素電極及びスイッチング素子と、一つのピクセルを構成する３個のサブ−ピクセルに赤色、緑色、及び青色を付与するカラーフィルターなどを具備する。このような液晶パネル組立体は、発光装置から放出される光の提供を受けて、この光を液晶層の作用で透過または遮断させることによって所定の画像を具現する。
【０００４】
一方、液晶表示装置は、液晶の反応速度が一つのフレームより長いため、毎フレームごとに急速に変わる動画を実現する場合、画面に薄い残像が表示されるモーションブラー（motion  blur）現象が誘発される虞がある。これを解決するために、一つのフレーム期間で、映像が表示される時点にだけ発光装置の光源をオン（on）状態にし、残りの期間の間には光源をオフ（off）状態にするインパルシブ（impulsive）方式で駆動する。したがって、直前フレームの残像を除去することができるので、モーションブラー現象を改善させることができる。しかしながら、このような方式は、画面の突然な変化のない停止映像を実現する場合には、映像が点滅するフリッカー（flicker）現象が誘発されるという問題点がある。
【発明の概要】
【発明が解決しようとする課題】
【０００５】
本発明は、表示装置のモーションブラー現象及びフリッカー現象を改善させられる発光装置及びその駆動方法を提供することにその目的がある。
【課題を解決するための手段】
【０００６】
本発明の一つの構成による、入力映像信号及び入力映像制御信号に応じて映像を表示する表示装置に光源を提供する発光装置は、表示部、制御部、走査駆動部、及びコラム駆動部を具備する。前記表示部は、複数の走査ライン、複数のコラムライン、及び前記表示装置の少なくとも一つの画素に前記光源を提供する複数の発光画素を具備するとともに、前記複数の走査ラインの各々は、一つのフレーム期間の間、複数の第１及び第２走査信号が対応する走査ラインに順に印加され、前記複数のコラムラインの各々には、複数の発光データ電圧が印加される。前記制御部は、前記入力映像信号及び前記入力映像制御信号を読取して、前記複数の発光画素の各々の明るさ情報を有する調光信号を生成し、前記調光信号に対応する複数の発光データ電圧を生成し、前記複数の第１走査信号及び複数の第２走査信号の各々の発生時点を制御する複数の第１パルス及び第２パルスを含む走査開始信号を生成し、前記複数の第１パルスの各々に同期する複数の第３パルス、及び前記第２パルスの各々に比べて所定の位相差を有する複数の第４パルスを含む水平同期開始信号を生成する。前記走査駆動部は、前記複数の走査ラインに、前記走査開始信号に応じて、複数の第１走査信号及び第２走査信号を順に印加する。そして、前記コラム駆動部は、前記複数のコラムラインに、前記水平同期開始信号に応じて、複数の発光データ電圧を印加する。
【０００７】
前記制御部は、前記複数の発光画素の各々に対応する前記表示装置の各領域の動き情報を有する複数のモーションフラグ信号を生成し、前記複数のモーションフラグ信号の各々に応じて、前記調光信号の分割比率情報を有する複数の比率制御信号を生成する局部明るさ制御部、及び前記複数の比率制御信号に応じて、前記調光信号を前記第１走査信号に対応する複数の第１分割調光データ及び前記第２走査信号に対応する複数の第２分割調光データに分割する制御部を具備する。前記局部明るさ制御部は、前記複数のモーションフラグ信号に応じて、前記調光信号に対する前記複数の第１分割調光データの比率を増減させる。前記局部明るさ制御部は、前記入力映像制御信号を利用してフレームを区分する同期信号、及び前記複数の発光画素各々の発光を制御する発光制御信号を生成する。
【０００８】
また、前記制御部は、前記複数の比率制御信号の各々に応じて、前記調光信号を前記複数の第１及び第２分割調光データに分割するデータ処理部と、一つのフレーム単位で前記複数の第１及び第２分割調光データが各々貯蔵される第１及び第２サブメモリを各々含む複数のメモリ及び前記同期信号をカウンティング（counting）して生成された第１カウンティング信号及び第２カウンティング信号の各々に応じて、前記複数のメモリから前記複数の第１及び第２分割調光データを選択的にリード（read）及びライト（write）するフレームバッファー部を具備する。前記フレームバッファー部は、前記同期信号に同期して、前記同期信号をカウンティングして前記第１カウンティング信号を生成し、前記同期信号の半周期の分だけ遅延された時点に同期して、前記同期信号をカウンティングして前記第２カウンティング信号を生成し、前記第１カウンティング信号及び第２カウンティング信号は、前記複数のメモリの個数を表示できるビットを有するデジタルデータに具現され、前記複数のメモリ個数の単位で反復的に変わる。前記フレームバッファー部は、前記第１カウンティング信号に応じて、前記複数のメモリの順序に従って、前記複数の第１及び第２分割調光データをライト（write）する。前記フレームバッファー部は、前記第１カウンティング信号に応じて、前記複数のメモリの中で、前記複数の第１及び第２分割調光データのライトが完了した第１メモリから前記複数の第１分割調光データをリードし、前記第２カウンティング信号に応じて、前記第１メモリから前記複数の第２分割調光データをリードする。前記フレームバッファー部は、前記複数の第１及び第２分割調光データを交互にリードする。
【０００９】
前記制御部は、前記発光制御信号を利用して、走査駆動制御信号及びコラム駆動制御信号を生成する制御信号生成部をさらに具備する。また、前記走査駆動制御信号に応じて、前記複数の走査ラインに前記第１及び第２走査信号を印加する走査駆動部をさらに具備する。前記一つのフレーム期間は、少なくとも二つの第１フィールド及び第２フィールドに区分され、前記走査駆動部は、前記第１フィールドに対応する前記複数の第１走査信号を前記複数の走査ラインに順に印加し、前記第２フィールドに対応する前記複数の第２走査信号を前記複数の走査ラインに順に印加する。前記第１フィールドは、前記走査駆動部が、現在のフレームの前記複数の第１走査信号と直前フレームの前記複数の第２走査信号とを交互に印加する期間を具備する。前記第２フィールドは、前記走査駆動部が、現在のフレームの前記複数の第２走査信号と前記複数の第１走査信号とを交互に印加する期間を具備する。
【００１０】
前記発光装置は、前記コラム駆動制御信号に応じて、前記複数の第１及び第２分割調光データに対応する期間の間、発光データ電圧を前記複数のコラムラインに印加するコラム駆動部をさらに具備する。
【００１１】
本発明の他の構成による入力映像信号及び入力映像制御信号に応じて映像を表示する表示装置の少なくとも一つの画素に光源を提供する複数の発光画素、複数の走査ライン、及び複数のコラムラインを具備する発光装置の駆動方法は、前記入力映像信号及び前記入力映像制御信号を読取して、前記複数の発光画素の各々の明るさ情報を有する調光信号を生成する段階、前記調光信号に対応する複数の発光データ電圧を生成する段階、前記複数の走査ラインに印加される複数の第１走査信号及び複数の第２走査信号の各々の発生時点を制御する複数の第１パルス及び第２パルスを含む走査開始信号を生成する段階、及び前記複数の走査ラインに複数の発光データ電圧を印加する時点を制御するための前記複数の第１パルスの各々に同期する複数の第３パルス、及び前記第２パルスの各々に比べて所定の位相差を有する複数の第４パルスを含む水平同期開始信号を生成する。
【００１２】
前記明るさ情報を有する調光信号を生成する段階は、前記複数の発光画素の各々に対応する前記表示装置の各領域の動き情報を有する複数のモーションフラグ信号を生成する段階、前記複数のモーションフラグ信号の各々に応じて、前記入力映像信号に対応する複数の調光データの分割比率情報を有する複数の比率制御信号を生成する段階、及び前記複数の比率制御信号に応じて、前記調光データを、前記第１走査信号に対応する複数の第１分割調光データ及び前記第２走査信号に対応する複数の第２分割調光データに分割する段階を具備するとともに、前記調光信号は、前記複数の第１分割調光データ及び前記複数の第２調光データを具備する。前記複数の第１及び第２分割調光データに分割する段階は、前記複数のモーションフラグ信号の各々に応じて対応する調光データに対する前記複数の第１分割調光データの比率を増減させる段階を具備する。
【００１３】
前記入力映像制御信号は垂直同期信号を具備するとともに、前記発光装置の駆動方法は、前記垂直同期信号に同期した同期信号を生成する段階、前記同期信号に同期して、前記同期信号をカウンティングして第１カウンティング信号を生成し、前記同期信号の半周期の分だけ遅延された時点に同期して、前記同期信号をカウンティングして第２カウンティング信号を生成する段階、及び前記第１及び第２カウンティング信号に応じて、前記複数の第１及び第２分割調光データを選択的にリード及びライトする段階をさらに具備する。前記複数の第１及び第２分割調光データを選択的にリード及びライトする段階は、前記第１カウンティング信号に応じて、一つのフレーム単位の前記複数の第１及び第２分割調光データをライトする段階、前記一つのフレーム単位の前記複数の第１及び第２分割調光データのライトが完了されれば、前記第１カウンティング信号に応じて、前記複数の第１分割調光データをリードする段階、及び前記第２カウンティング信号に応じて、前記複数の第２分割調光データをリードする段階を具備する。前記複数の第１及び第２分割調光データを交互にリードする段階が反復される。
【発明の効果】
【００１４】
本発明の特徴によれば、表示装置のモーションブラー現象及びフリッカー現象を改善できるという効果がある。
【図面の簡単な説明】
【００１５】
【図１】本発明の実施形態による液晶表示装置を示すブロック図である。
【図２】図１に示された局部明るさ制御部２００の詳細ブロック図である。
【図３】図１に示された画素（ＰＸ）の等価回路図である。
【図４】図１に示された制御部１１０の詳細ブロック図である。
【図５】走査駆動部に入力される走査開始信号と、コラム駆動部に入力される水平同期開始信号である。
【図６】コラム駆動部のブロック図である。
【図７】本発明の実施形態による制御部１１０の動作を説明するための図である。
【図８】本発明の実施形態によるモーションフラグ信号（ＭＳ）、調光信号（ＤＳ）、比率制御信号（ＲＣ）、第１分割調光データ（ＤＳＳ１）、ＤＳＳ３、ＤＳＳ５）、及び第２分割調光データ（ＤＳＳ２）、ＤＳＳ４、ＤＳＳ６）を示した図である。
【発明を実施するための形態】
【００１６】
以下、添付した図面を参照して、本発明の実施形態について、本発明が属する技術分野で通常の知識を有する者が容易に実施できるように詳しく説明する。しかし、本発明は、色々な相異した形態に具現することができ、ここで説明する実施形態に限られない。そして、図面において、本発明を明確に説明するために、説明に不要な部分は省略し、明細書全体を通して類似した構成要素については、類似した参照符号を付けた。
【００１７】
明細書全体において、ある部分が他の部分と“連結”されているといえば、これは“直接的に連結”されている場合だけでなく、その中間に他の素子を介して“電気的に連結”されている場合も含む。また、ある部分がある構成要素を“具備する”という場合、これは特に反対の記載がない限り、他の構成要素を除くのではなく、他の構成要素をさらに具備することもできることを意味する。
【００１８】
図１は、本発明の実施形態による液晶表示装置を示したブロック図であり、図２は、図１に示された局部明るさ制御部２００の詳細ブロック図である。図３は、図１に示された画素（ＰＸ）の等価回路図であり、図４は、図１に示された制御部１１０の詳細ブロック図である。
【００１９】
図１を参照すれば、本発明の液晶表示装置は、発光装置１００、ビデオプロセッサー１５０、局部明るさ制御部２００、液晶表示板組立体（liquid crystal panel assembly）３００、ゲート駆動部（gate driver）４００、データ駆動部（data driver）５００、階調電圧生成部（gray voltage generator）８００、及び信号制御部（signal controller）６００を具備する。
【００２０】
ビデオプロセッサー１５０は、多様な媒体などから送信した映像ソースの入力を受けて、液晶表示装置の解像度に合う入力映像信号（Ｒ、Ｇ、Ｂ）、及び入力映像に応じて映像を表示するための入力映像制御信号（ＣＰ）に変換する。このように生成された入力映像信号（Ｒ、Ｇ、Ｂ）及び入力映像制御信号（ＣＰ）は、局部明るさ制御部２００及び信号制御部６００に入力される。入力映像信号（Ｒ、Ｇ、Ｂ）は各画素（ＰＸ）の輝度（luminance）情報を具備しており、輝度は、定められた数、例えば、１０２４（=２１０）、２５６（=２８）または６４（=２６）個の階調（gray）を有している。入力映像制御信号（ＣＰ）は、入力映像信号（Ｒ、Ｇ、Ｂ）、及びこれを表示するために必要な制御信号（Ｈｓｙｎｃ、Ｖｓｙｎｃ、ＭＣＬＫ、ＤＥ）を具備する。
【００２１】
図２を参照すれば、局部明るさ制御部２００は、調光信号生成部２１０、モーションフラグ信号生成部２２０、比率制御信号生成部２３０、及び発光制御信号生成部２４０を具備する。調光信号生成部２１０は、入力映像信号（Ｒ、Ｇ、Ｂ）及び入力映像制御信号（ＣＰ）を読取して、発光装置１００の複数の発光画素（ＥＸＰ）の各々の明るさの程度を決定する。調光信号生成部２１０は、複数の発光画素（ＥＸＰ）の各々の明るさの程度を示す複数の調光データを配列した調光信号（ＤＳ）を生成する。
【００２２】
具体的に、調光信号生成部２１０は、入力映像信号（Ｒ、Ｇ、Ｂ）及び入力映像制御信号（ＣＰ）を読取して、発光装置１００のある発光画素（ＥＸＰ）に対応する複数の画素（ＰＸ）の中の最も高い階調を検出し、検出された階調に応じて発光画素（ＥＸＰ）の階調を決定する。そして、調光信号生成部２１０は、決められた階調を示す調光信号（ＤＳ）を生成する。本発明の実施形態では、調光信号（ＤＳ）は一つの発光画素（ＥＸＰ）の階調データであって、８ビット単位の調光データに具現され、一つのフレーム単位の複数の発光画素（ＥＰＸ）の各々の複数の調光データを一列に配列した構造を有する。しかし、本発明はこれに限定されない。
【００２３】
モーションフラグ信号生成部２２０は、入力映像信号（Ｒ、Ｇ、Ｂ）及び入力映像制御信号（ＣＰ）を読取して、複数の発光画素（ＥＸＰ）の各々に対応する液晶表示板組立体３００の複数の領域別に動き情報を抽出して、複数のモーションフラグ信号（ＭＦ）を生成する。具体的に、モーションフラグ信号生成部２２０は、複数の発光画素（ＥＸＰ）の各々に対応する液晶表示板組立体３００の複数の領域の各々に対応する入力映像信号（Ｒ、Ｇ、Ｂ）の輝度変化の程度を検出する。検出結果、輝度の変化が大きい場合、動きがある領域と判断し、輝度の変化が小さい場合、動きがない領域と判断する。本発明の実施形態では、動きがある領域に対応するモーションフラグ信号（ＭＦ）をハイレベルに生成し、動きがない領域に対応するモーションフラグ信号（ＭＦ）をローレベルに生成する。しかし、本発明はこれに限定されず、動きの有/無に応じて、モーションフラグ信号（ＭＦ）が互いに異なるレベルであれば構わない。
【００２４】
比率制御信号生成部２３０は、複数の発光画素（ＥＸＰ）各々のモーションフラグ信号（ＭＦ）に応じて、複数の比率制御信号（ＲＣ）を生成する。比率制御信号（ＲＣ）とは、各発光画素（ＥＸＰ）の調光データを第１及び第２分割調光データに分割する比率を意味する。本発明の実施形態による発光装置１００は、一つのフレームを表現するために、複数の走査信号を複数の走査ライン（Ｓ１〜Ｓｐ）各々、二回にかけて伝達する。一つのフレームは、複数の走査信号を複数の走査ライン（Ｓ１〜Ｓｐ）の各々、一番目に伝達する期間を具備する第１フィールド、及び複数の走査信号を複数の走査ライン（Ｓ１〜Ｓｐ）各々、二番目に伝達する期間を具備する第２フィールドを具備する。発光装置１００は、各フィールドの期間、複数の発光画素（ＥＸＰ）の各々を複数の第１及び第２分割調光データに応じて発光させる。本発明の実施形態による調光データは一つのフレーム単位に区分され、一つのフレームの期間、発光装置１００を構成する全ての複数の発光画素（ＥＸＰ）の発光時間を示すデータである。さらに、複数の第１及び第２分割調光データは、各フィールドの期間、全ての複数の発光画素（ＥＸＰ）の発光時間を示すデータである。複数の第１分割調光データ及び第２分割調光データに応じて、複数の発光画素（ＥＸＰ）を、第１フィールド及び第２フィールド各々の期間の間発光させて表現される輝度は、分割前の複数の調光データに応じて、複数の発光画素を一つのフレーム期間の間に発光させて表現される輝度と同一である。したがって、発光装置１００は、複数の発光画素（ＥＸＰ）を、第１フィールド及び第２フィールドの各々の期間の間、複数の第１分割調光データ及び第２分割調光データに応じて発光時間を調節して発光程度を制御する。
【００２５】
具体的に、比率制御信号（ＲＣ）は、調光データを第１分割調光データ及び第２分割調光データに分割する時みに適用される比率を量子化させたものであって、調光データに対する第１分割調光データの比率である。分割比率を調節するために、調光信号（ＤＳ）のビット数を増加または減少させることができる。本発明の実施形態では、複数の第１及び第２分割調光データに応じて複数の発光データ電圧のパルス幅が決定されて、複数の発光画素（ＥＰＸ）の各々の明るさの程度が決定される。比率制御信号（ＲＣ）が５０％に設定され、モーションフラグ信号（ＭＦ）がハイレベルであれば、１０％単位でその値を増加させる。モーションフラグ信号（ＭＦ）がローレベルであれば、１０％単位でその値を減少させる。ハイレベルのモーションフラグ信号（ＭＦ）が連続的に二回発生すれば、比率制御信号（ＲＣ）は７０％となる。仮に、現在、比率制御信号（ＲＣ）が７０％である場合、モーションフラグ信号（ＭＦ）がローレベルになれば、比率制御信号（ＲＣ）は１０％単位で減少して、６０％となる。しかし、比率制御信号（ＲＣ）が５０％未満まで減少することはない。比率制御信号（ＲＣ）は少なくとも５０％の値を有する。このように比率制御信号（ＲＣ）は、５０％〜１００％の範囲内でモーションフラグ信号（ＭＦ）に応じて変わる。
【００２６】
発光制御信号生成部２４０は、入力映像制御信号（ＣＰ）を利用して、発光装置を駆動するために必要な制御信号を生成する。発光制御信号生成部２４０は、入力映像制御信号（ＣＰ）に応じて、フレームを区分する同期信号（Ｓｙｎｃ）及び発光制御信号（ＬＣＳ）を生成する。同期信号（Ｓｙｎｃ）は、発光期間を決定する発光信号（ＣＬＳ）を生成するための制御信号であり、発光制御信号（ＬＣＳ）は、アダプティブ（Adaptive）スキャン方式によって発光装置１００が動作するための制御信号である。このスキャン方式を実現するためには、入力映像制御信号（ＣＰ）の周波数を変調する必要がある。具体的に、発光制御信号（ＬＣＳ）は、垂直同期信号（Ｖｓｙｎｃ）、水平同期信号（Ｈｓｙｎｃ）などを２倍の周波数に変調した信号を具備する。アダプティブスキャン方式については後述する。
【００２７】
再び、図１を参照すれば、液晶表示板組立体３００は、等価回路に見れば、複数の信号線（Ｇ１〜Ｇｎ、Ｄ１〜Ｄｍ）と、これに連結されており、ほぼ行列形態に配列された複数の画素（ＰＸ）とを具備する。信号線（Ｇ１〜Ｇｎ、Ｄ１〜Ｄｍ）は、ゲート信号（“走査信号”とも言う）を伝達する複数のゲート線（Ｇ１〜Ｇｎ）と、データ電圧を伝達する複数のデータ線（Ｄ１〜Ｄｍ）とを具備する。ゲート線（Ｇ１〜Ｇｎ）はほぼ行方向に伸びて、互いにほとんど平行しており、データ線（Ｄ１〜Ｄｍ）はほぼ列方向に伸びて、互いにほとんど平行している。
【００２８】
図３を参照すれば、各画素（ＰＸ）、例えば、ｉ番目（ｉ=１、２、…、ｎ）ゲート線（Ｇｉ）とｊ番目（ｊ=１、２、…、ｍ）データ線（Ｄｊ）に連結された画素（ＰＸｉｊ）は、信号線（Ｇｉ、Ｄｊ）に連結されたスイッチング素子（Ｑ）と、これに連結された液晶キャパシタ（Ｃｌｃ）、及びストレージキャパシタ（Ｃｓｔ）を具備する。ストレージキャパシタ（Ｃｓｔ）は必要に応じて省略できる。
【００２９】
スイッチング素子（Ｑ）は、下部表示板２１０に備えられている薄膜トランジスターなどの三端子素子であって、その制御端子はゲート線（Ｇｉ）と連結されており、入力端子はデータ線（Ｄｊ）と連結されており、出力端子は液晶キャパシタ（Ｃｌｃ）及びストレージキャパシタ（Ｃｓｔ）と連結されている。
【００３０】
液晶キャパシタ（Ｃｌｃ）は、下部表示板２１０の画素電極３０８と上部表示板３０６の共通電極３０２を二つの端子にし、二つの電極１９１、２７０間の液晶層３は誘電体としての機能を果たす。画素電極３０８はスイッチング素子（Ｑ）と連結され、共通電極３０２は上部表示板２００の前面に形成されていて、共通電圧（Ｖｃｏｍ）の印加を受ける。図２とは異なって、共通電極３０２が下部表示板１００に備えられる場合もあるが、この時には、二つの電極１９１、２７０のうちの少なくとも一つが線状または棒状に製造できる。
【００３１】
液晶キャパシタ（Ｃｌｃ）の補助的な役割を果たすストレージキャパシタ（Ｃｓｔ）は、下部表示板１００に備えられた別個の信号線（図示せず）と画素電極３０８とが、絶縁体を介して重なって形成され、この別個の信号線には、共通電圧（Ｖｃｏｍ）などの定められた電圧が印加される。しかし、ストレージキャパシタ（Ｃｓｔ）は、画素電極３０８が絶縁体を媒介として、真上の前端ゲート線（Ｇｉ-１）と重なって形成できる。
【００３２】
一方、色表示を実現するためには、各画素（ＰＸ）が基本色のうちの一つを固有に表示したり（空間分割）、各画素（ＰＸ）が時間に伴って交互に基本色を表示するように（時間分割）して、これら基本色の空間的、時間的な合計によって所望の色が認識できるようにする。基本色の例としては、赤色、緑色、青色など光の三原色が挙げられる。図３は、空間分割の一例として、各画素（ＰＸ）が画素電極３０８に対応する上部表示板３０６の領域に、基本色のうちの一つを示す色フィルター３０４を備えていることを示している。図３とは異なって、色フィルター３０４は、下部表示板２１０の画素電極３０８の上または下に位置させることができる。液晶表示板組立体３００には、少なくとも一つの偏光子（図示せず）が備えられている。
【００３３】
再び、図１を参照すれば、階調電圧生成部８００は、画素（ＰＸ）の透過率に関する階調電圧全体または限定された数の階調電圧（以下、“基準階調電圧”という）を生成する。基準階調電圧は、共通電圧（Ｖｃｏｍ）に対して、陽の値を有するものと陰の値を有するものとを具備する。
【００３４】
ゲート駆動部４００は、液晶表示板組立体３００のゲート線（Ｇ１〜Ｇｎ）に連結されて、ゲートオン電圧（Ｖｏｎ）とゲートオフ電圧（Ｖｏｆｆ）の組み合わせからなるゲート信号をゲート線（Ｇ１〜Ｇｎ）に印加する。
【００３５】
データ駆動部５００は、液晶表示板組立体３００のデータ線（Ｄ１〜Ｄｍ）に連結されており、階調電圧生成部８００からの階調電圧を選択し、これをデータ電圧としてデータ線（Ｄ１〜Ｄｍ）に印加する。しかし、階調電圧生成部８００が階調電圧を全て提供するわけではなく、限定された数の基準階調電圧のみを提供する場合に、データ駆動部５００は、基準階調電圧を分圧して所望のデータ電圧を生成する。
【００３６】
信号制御部６００は、ゲート駆動部４００及びデータ駆動部５００などを制御する。信号制御部６００は、ビデオプロセッサー１５０から印加された入力映像信号（Ｒ、Ｇ、Ｂ）と入力制御信号（ＣＰ）に基づいて、入力映像信号（Ｒ、Ｇ、Ｂ）を液晶表示板組立体３００の動作条件に合わせて適切に処理して、デジタル映像信号（ＤＡＴＡ）、ゲート制御信号（ＣＯＮＴ１）、及びデータ制御信号（ＣＯＮＴ２）などを生成する。信号制御部６００は、生成されたゲート制御信号（ＣＯＮＴ１）をゲート駆動部４００に伝送し、データ制御信号（ＣＯＮＴ２）、及び処理したデジタル映像信号（ＤＡＴＡ）をデータ駆動部５００に伝送する。
【００３７】
ゲート制御信号（ＣＯＮＴ１）は、走査開始を指示する走査開始信号（ＳＴＶ）と、ゲートオン電圧（Ｖｏｎ）の出力周期を制御する少なくとも一つのクロック信号とを具備する。ゲート制御信号（ＣＯＮＴ１）はまた、ゲートオン電圧（Ｖｏｎ）の持続時間を限定する出力イネーブル信号（ＯＥ）をさらに具備することができる。
【００３８】
データ制御信号（ＣＯＮＴ２）は、一つの行の画素（ＰＸ）に対するデジタル映像信号（ＤＡＴＡ）のデータ駆動部５００への伝送開始を知らせる水平同期開始信号（ＳＴＨ）と、データ線（Ｄ１〜Ｄｍ）にアナログデータ電圧を印加するように命令するロード信号（ＬＯＡＤ）とを具備する。データ制御信号（ＣＯＮＴ２）はまた、共通電圧（Ｖｃｏｍ）に対するデータ電圧の極性（以下、“共通電圧に対するデータ電圧の極性”を略して“データ電圧の極性”という）を反転させる反転信号（ＲＶＳ）をさらに具備することができる。
【００３９】
データ駆動部５００は、デジタル映像信号（ＤＡＴＡ）に対応する階調電圧を選択することによってアナログデータ電圧を生成し、これを当該データ線（Ｄ１〜Ｄｍ）に印加する。
【００４０】
ゲート駆動部４００は、信号制御部６００からのゲート制御信号（ＣＯＮＴ１）に応じて、ゲートオン電圧（Ｖｏｎ）をゲート線（Ｇ１〜Ｇｎ）に印加して、このゲート線（Ｇ１〜Ｇｎ）に連結されたスイッチング素子（Ｑ）を導通させる。そうすることで、データ線（Ｄ１〜Ｄｍ）に印加されたデータ電圧が、導通したスイッチング素子（Ｑ）を通して、当該画素（ＰＸ）に印加される。
【００４１】
画素（ＰＸ）に印加されたデータ電圧と共通電圧（Ｖｃｏｍ）の差は、液晶キャパシタ（Ｃｌｃ）の充電電圧、つまり、画素電圧として現れる。液晶分子は、画素電圧の大きさによってその配列を別にし、それによって液晶層３を通過する光の偏光が変化する。このような偏光の変化は、偏光子によって、光の透過率変化に示し、これによって、画素（ＰＸ）は、デジタル映像信号（ＤＡＴＡ）の階調が示す輝度を表示する。
【００４２】
１水平周期を［“１Ｈ”とも言い、水平同期信号（Ｈｓｙｎｃ）及びデータイネーブル信号（ＤＥ）の一つの周期と同一である］を単位として、このような過程を繰り返すことによって、全てのゲート線（Ｇ１〜Ｇｎ）に対して順にゲートオン電圧（Ｖｏｎ）を印加し、全ての画素（ＰＸ）にデータ電圧を印加して、一つのフレームの映像を表示する。
【００４３】
発光装置１００は、制御部１１０、コラム駆動部１１２、走査駆動部１１４、表示部１１６を具備する。制御部１１０は、図４に示されているように、データ処理部１１０_１、複数の第１乃至第３メモリ１１０_２〜１１０_４、フレームバッファー部１１０_５、及び制御信号生成部１１０_６を具備する。データ処理部１１０_１は、一つのフレーム単位の複数の調光データを対応する比率制御信号（ＲＣ）に応じて、複数の第１分割調光データ及び複数の第２分割調光データを分けて生成する。データ処理部１１０_１は、複数の第１分割調光データ及び複数の第２分割調光データを、複数の第１乃至第３メモリ１１０_２〜１１０_４のうちの対応するメモリに伝送する。つまり、第１メモリ１１０_２には、ｎ番目フレームの複数の第１分割調光データ（ＤＳＳ１）及び複数の第２分割調光データ（ＤＳＳ２）が貯蔵され、第２メモリ１１０_３には、ｎ+１番目フレームの複数の第１分割調光データ（ＤＳＳ３）及び第２分割調光データ（ＤＳＳ４）が貯蔵される。同様に、第３メモリ１１０_４には、ｎ+２番目フレームの複数の第１分割調光データ（ＤＳＳ５）及び第２分割調光データ（ＤＳＳ６）が貯蔵される。その後、フレームの複数の第１分割調光データ及び第２分割調光データもこのような方法で貯蔵される。本発明の実施形態で、３個の第１乃至第３メモリ１１０_２〜１１０_４は、アダプティブスキャニング（adaptive  scanning）のために必要な最小数である。本発明の実施形態によるアダプティブスキャニング方式は、一つのフレームを表現するために、複数の走査信号を複数の走査ライン（Ｓ１〜Ｓｐ）の各々に二回にかけて伝達し、二回の走査信号が各々伝達される時、各発光画素（ＥＰＸ）の発光期間が比率制御信号（ＲＣ）に応じて決定される。具体的に、比率制御信号（ＲＣ）が５０％である場合は、一番目の走査信号が印加される期間の間の発光画素（ＥＰＸ）の発光期間と、２番目の走査信号が印加される期間の間の発光画素（ＥＰＸ）の発光期間とが同一である。仮に、比率制御信号（ＲＣ）が６０％である場合、一番目の走査信号が印加される期間の間の発光画素（ＥＰＸ）の発光期間と、２番目の走査信号が印加される期間の間の発光画素（ＥＰＸ）の発光期間との比率は６:４である。このように、発光画素（ＥＰＸ）に対応する複数の液晶画素（ＰＸ）の動きの程度により、二回の走査信号の各々に対する発光画素（ＥＰＸ）の発光期間が決定される。このようなアダプティブスキャニング方式の具現のために、一つのフレームは第１フィールドと第２フィールドを具備するが、直前フレームの第２フィールドと現在フレームの第１フィールドとの間の時間的な重複、及び現在フレームの第１フィールドと第２フィールドの間の時間的な重複が発生する。したがって、各フレーム間、各フレームの第１及び第２フィールドの間の走査信号が重ならないように制御しなければならない。これに関する説明は図９を参照して後述する。従って、本発明はこれに限定されず、３個以上のメモリを具備することができる。
【００４４】
そして、第１メモリ１１０_２は、２個のサブメモリ１１０_２１、１１０_２２から構成される。複数の第１分割調光データ（ＤＳＳ１）は第１サブメモリ１１０_２１に貯蔵され、複数の第２分割調光データ（ＤＳＳ２）は第２サブメモリ１１０_２２に貯蔵される。第２メモリ１１０_３は第１及び第２サブメモリ１１０_３１、１１０_３２から構成され、複数の第１分割調光データ（ＤＳＳ３）及び複数の第２分割調光データ（ＤＳＳ４）は、第１及び第２サブメモリ１１０_３１、１１０_３２に各々貯蔵される。同様に、第３メモリ１１０_４も第１及び第２サブメモリ１１０_４１、１１０_４２から構成され、複数の第１分割調光データ（ＤＳＳ５）及び複数の第２分割調光データ（ＤＳＳ６）は、第１及び第２サブメモリ１１０_４１、１１０_４２に各々、貯蔵される。ここで、第１乃至第３メモリ１１０_２〜１１０_４が各々具備するサブメモリの個数は、複数の調光データを分割する個数に応じて調節することができる。フレームバッファー部１１０_５は、第１乃至第３メモリ１１０_２〜１１０_４に貯蔵された複数の第１分割調光データ（ＤＳＳ１、ＤＳＳ３、ＤＳＳ５）及び複数の第２分割調光データ（ＤＳＳ２、ＤＳＳ４、ＤＳＳ６）をリード（read）し、順序に従って発光信号（ＣＬＳ）に出力する。
【００４５】
制御部１００は、２個の第１及び第２カウンター１１０_７、１１０_８を具備するとともに、第１カウンター１１０_７から出力される第１カウンティング信号（Ｃｏｕｎｔ１）に応じて、複数の第１分割調光データ（ＤＳＳ１、ＤＳＳ３、ＤＳＳ５）及び複数の第２分割調光データ（ＤＳＳ２、ＤＳＳ４、ＤＳＳ６）を、対応する第１及び第２サブメモリにライト（write）する。第１及び第２カウンター１１０_７、１１０_８は、同期信号（Ｓｙｎｃ）に応じて、第１カウンティング信号（Ｃｏｕｎｔ１）及び第２カウンティング信号（Ｃｏｕｎｔ２）を生成する。ここで、同期信号（Ｓｙｎｃ）は、ビデオプロセッサー１５０で生成された垂直同期信号（Ｖｓｙｎｃ）に同期した信号であり、垂直同期信号（Ｖｓｙｎｃ）と同一な周波数を有する。そして、同期信号（Ｓｙｎｃ）は、一つの周期の開始時点で、ハイレベルを所定の期間維持するパルスを含む。第１カウンティング信号（Ｃｏｕｎｔ１）は同期信号（Ｓｙｎｃ）に同期して発生し、第２カウンティング信号（Ｃｏｕｎｔ２）は同期信号（Ｓｙｎｃ）の半分の周期だけ遅延された位相を有する信号であり得る。
【００４６】
フレームバッファー部１１０_５は、第１カウンティング信号（Ｃｏｕｎｔ１）に応じて、第１乃至第３メモリ１１０_２〜１１０_４の各々の第１サブメモリ１１０_２１、１１０_３１、１１０_４１から複数の第１分割調光データ（ＤＳＳ１、ＤＳＳ３、ＤＳＳ５）をリードする。そして、第２カウンター１１０_８から出力される第２カウンティング信号（Ｃｏｕｎｔ２）に応じて、フレームバッファー部１１０_５は、第１乃至第３メモリ１１０_２〜１１０_４の各々の第２サブメモリ１１０_２２、１１０_３２、１１０_４２から複数の第２分割調光データ（ＤＳＳ２、ＤＳＳ４、ＤＳＳ６）をリードする。
【００４７】
これについては、図７を参照して後述する。
【００４８】
制御信号生成部１１０_６は、発光制御信号（ＬＣＳ）を利用して、走査駆動制御信号（ＣＳ）及びコラム駆動制御信号（ＣＣ）を生成して、各々、走査駆動部１１４及びコラム駆動部１１２に伝達する。走査駆動制御信号（ＣＳ）は、複数の走査ライン（Ｓ１〜Ｓｐ）の各々に対する走査開始を指示する走査開始信号（ＳＴＶ１）と、走査オン電圧（ＶＮ）のデューティーを決める少なくとも一つ以上のクロック信号とを具備する。走査駆動部１１４は、走査開始信号（ＳＴＶ１）に応じて、複数の第１走査信号及び複数の第２走査信号の発生を制御する。この時、走査開始信号（ＳＴＶ１）は、水平周期信号に対して二倍の周波数を有する信号であって、一つの水平周期の期間の間、走査ラインの個数の二倍に相当するパルス信号を具備することができる。この時、走査開始信号（ＳＴＶ１）は、複数の第１走査信号のうちの一つの走査信号の開始を制御する第１パルスの後には、複数の第２走査信号のうちの一つの走査信号の開始を制御する第２パルスが発生し、複数の第１走査信号のうちの他の走査信号の開始を制御する第３パルスが順に繰り返して発生する。本発明の実施形態では、第１パルスと第２パルスの間の間隔時間的なと、第２パルスと第３パルスの間の時間的な間隔とが互いに異なる。
【００４９】
コラム駆動部１１２は、コラム駆動制御信号（ＣＣ）に応じて、一つの行の複数の画素（ＥＰＸ）の各々に対応する複数の発光信号（ＣＬＳ）をコラムライン（Ｃ１〜Ｃｑ）に伝送する。この時、コラム駆動制御信号（ＣＣ）は、伝送開始を知らせる水平同期開始信号（ＳＴＨ１）、及び発光信号（ＣＬＳ）に応じた発光データ電圧を印加するように命令するロード信号（ＬＯＡＤ）を具備する。水平同期開始信号（ＳＴＨ１）は、走査開始信号（ＳＴＶ１）の複数のパルスのうち、複数の第１走査信号の開始を制御する複数のパルスに対して同期して発生する複数のパルス、及び走査開始信号（ＳＴＶ１）の複数のパルスのうち、複数の第２走査信号の開始を制御する複数のパルスに対して時間的な差を有する複数のパルスを含む。この時間的な差は、第２走査信号の直前の第１走査信号に対応して、複数のコラムライン（Ｃ１〜Ｃｑ）に印加された発光データ電圧（ＬＤＶ１-ＬＤＶｑ）が、第２走査信号が印加される時間と重ならないように設定される。
【００５０】
図５は、走査駆動部１１４に入力される走査開始信号（ＳＴＶ１）と、コラム駆動部１１２に入力される水平同期開始信号（ＳＴＨ１）とを示した図である。
【００５１】
図５に示されているように、走査開始信号（ＳＴＶ１）の偶数番目（２、４）のパルスは、水平同期開始信号（ＳＴＨ１）の偶数番目パルス（２、４）に比べて、期間Ｐ１の分だけ遅延されて上昇する。走査開始信号（ＳＴＶ１）の一番目のパルス（１）によって第１サブフィールドの走査が開始され、第１サブフィールドの走査のうちの第２サブフィールドの走査が開始される。具体的に、第１サブフィールドの走査期間全体において、中間時点に第２サブフィールドの走査が開始される。この時、第１サブフィールドに伝達される任意の発光データ電圧（ＬＤＶｉ）と第２サブフィールドの走査信号とが重なる期間が発生する場合、発光データ電圧（ＬＤＶｉ）が第２サブフィールドに発光する発光画素に影響を与える。これを防止するために、本発明の実施形態では、第２サブフィールドを制御する走査開始信号（ＳＴＶ１）の偶数番目パルスを、期間Ｐ１の分だけ遅延させて発生させる。そうすれば、アダプティブスキャニング方式によって発生する重畳現象を防止することができる。
【００５２】
これとは異なり、水平同期開始信号（ＳＴＨ１）の偶数番目パルスが、走査開始信号（ＳＴＶ１）の偶数番目パルス（２、４）より前の時点で上昇できる。
【００５３】
アダプティブスキャニング方式は、一つのフレーム期間の間、少なくとも二つのサブフィールドを具備するので、限定された時間内に複数の走査信号の波形と複数の発光データ電圧の波形を、対応の発光画素に少なくとも二回ずつ伝達しなければならない。したがって、走査信号波形とそれに対応していないデータ電圧の波形との重畳が発生し得る。本発明では、複数の走査信号各々の伝達同期を制御する走査開始信号と、複数の発光データ電圧の各々の伝達同期を制御する水平同期開始信号との間に位相差を与えて、このような重畳を防止することができる。本発明の実施形態では、水平同期開始信号の偶数パルスに比べて、走査開始信号の偶数パルスが遅延されるか、または、水平同期開始信号の偶数パルスが走査開始信号の偶数パルスに先たつことについて説明したが、本発明はこれに限定されるものではない。重畳現象を防止すれば、階調データに応じた輝度が線状的である、階調線形性を保障することができる。
【００５４】
図６は、コラム駆動部を示した図である。
【００５５】
図６を参照すれば、コラム駆動部１１２は、ＰＷＭクロック生成部１１２_１、発光信号変調部１１２_２、及び発光駆動部１１２_３を具備する。ＰＷＭクロック生成部１１２_１は、発光信号（ＣＬＳ）に応じてＰＷＭクロック信号（ＣＬＫ_ＰＷＭ）を生成する。この時、発光信号（ＣＬＳ）とＰＷＭクロック信号（ＣＬＫ_ＰＷＭ）との対応関係は実験的な方法で決定され、これは、ルックアップテーブルによってＰＷＭクロック生成部１１２_１に貯蔵される。具体的に、調光信号に含まれている発光画素（ＥＰＸ）の階調データと当該発光画素（ＥＰＸ）の発光輝度との間に線形性を有するように、発光信号（ＣＬＳ）に応じたＰＷＭクロック信号（ＣＬＫ_ＰＷＭ）を実験的に算出する。ルックアップテーブルは、算出された発光信号（ＣＬＳ）に応じたＰＷＭクロック信号（ＣＬＫ_ＰＷＭ）に関するデータを具備する。
【００５６】
発光信号変調部１１２_２は、発光信号（ＣＬＳ）及びこれに対応するＰＷＭクロック（ＣＬＫ_ＰＷＭ）を利用して、当該発光画素の発光期間を決定する変調発光信号（Ｍ１-Ｍｑ）を生成する。発光駆動部１１２_３は、複数のコラムライン（Ｃ１〜Ｃｑ）の各々に対応する複数の変調発光信号（Ｍ１-Ｍｑ）を貯蔵し、コラム駆動制御信号（ＣＣ）に応じて、複数の変調発光信号（Ｍ１-Ｍｑ）の各々に対応する期間の間、オン電圧（Ｖｏｎ）を有する複数の発光データ電圧（ＬＤＶ１-ＬＤＶｑ）を、複数のコラムライン（Ｃ１〜Ｃｑ）の各々に印加する。
【００５７】
表示部１１６は、走査信号を伝達する複数の走査ライン（Ｓ１〜Ｓｐ）と、発光データ信号を伝達する複数のコラムライン（Ｃ１〜Ｃｑ）、及び複数の発光画素（ＥＰＸ）を具備する。複数の発光画素（ＥＰＸ）の各々は、走査ライン（Ｓ１〜Ｓｐ）と走査ラインに交差するコラムライン（Ｃ１〜Ｃｑ）によって定義される領域に位置する。本発明の実施形態による複数の発光画素（ＥＰＸ）の各々は、電界放出アレイ（Field Emission array；ＦＥＡ、以下、‘ＦＥＡ’という）型電子放出素子からなる。ＦＥＡ型電子放出素子は、走査電極とデータ電極、走査電極とデータ電極のうちのいずれか一つの電極に電気的に連結される電子放出部、及び蛍光層などを具備する。電子放出部は、仕事関数が低いか縦横比が大きい物質、例えば、炭素系物質またはナノメートルサイズの物質からなることができる。ＦＥＡ型電子放出素子は、走査電極とデータ電極の電圧差を利用して電子放出部の周囲に電界を形成して、これから電子を放出させ、放出された電子によって蛍光層を励起させて、電子ビーム放出量に相応する強さの可視光を放出させる。
【００５８】
図７は、本発明の実施形態による制御部１１０の動作を説明するために示した図である。
【００５９】
図７を参照すれば、第１カウンティング信号（Ｃｏｕｎｔ１）は、同期信号（Ｓｙｎｃ）のライジングエッジに同期して、‘００、０１、１０’の順序に従って繰り返してカウントされ、第２カウンティング信号（Ｃｏｕｎｔ２）は、第１カウンティング信号（Ｃｏｕｎｔ１）と同期信号（Ｓｙｎｃ）の半周期に対応する期間の分だけ差をおいて、‘００、０１、１０’の順序に従って繰り返してカウントされる。本発明の実施形態による第１カウンティング信号（Ｃｏｕｎｔ１）及び第２カウンティング信号（Ｃｏｕｎｔ２）は、複数のメモリ１１０_２〜１１０_４の個数を表示できるビットを有するデジタルデータに具現され、複数のメモリ１１０_２〜１１０_４の個数の単位で反復的に変化される。第１カウンティング信号（Ｃｏｕｎｔ１）が‘００’である期間（Ｔ１）の間、第１メモリ１１０_２の第１サブメモリ１１０_２１には複数の第１分割調光データ（ＤＳＳ１）がライトされ、第２サブメモリ１１０_２２には複数の第２分割調光データ（ＤＳＳ２）がライトされる。第１カウンティング信号（Ｃｏｕｎｔ１）が‘０１’である期間（Ｔ２）の間には、第２メモリ１１０_３の第１サブメモリ１１０_３１には複数の第１分割調光データ（ＤＳＳ３）がライトされ、第２サブメモリ１１０_３２には複数の第２分割調光データ（ＤＳＳ４）がライトされる。フレームバッファー部１１０_５は、期間（Ｔ２）の間、第１サブメモリ１１０_２１から複数の第１分割調光データ（ＤＳＳ１）をリードする。第２カウンティング信号（Ｃｏｕｎｔ２）が‘０１’である期間（Ｔ３）の間、フレームバッファー部１１０_５は、第２サブメモリ１１０_２２から複数の第２分割調光データ（ＤＳＳ２）をリードする。第１カウンティング信号（Ｃｏｕｎｔ１）が‘１０’である期間（Ｔ４）の間、第３メモリ１１０_４の第１サブメモリ１１０_４１には複数の第１分割調光データ（ＤＳＳ５）がライトされ、第２サブメモリ１１０_４２には複数の第２分割調光データ（ＤＳＳ６）がライトされる。フレームバッファー部１１０_５は、期間（Ｔ４）の間、第１サブメモリ１１０_３１から、複数の第１分割調光データ（ＤＳＳ３）をリードする。第２カウンティング信号（Ｃｏｕｎｔ２）が‘１０’である期間（Ｔ５）の間、フレームバッファー部１１０_５は、第２サブメモリ１１０_３２から複数の第２分割調光データ（ＤＳＳ４）をリードする。第１カウンティング信号（Ｃｏｕｎｔ１）が‘００’である期間（Ｔ６）の間、第１メモリ１１０_２の第１サブメモリ１１０_２１に複数の第１分割調光データ（ＤＳＳ１）がライトされ、第２サブメモリ１１０_２２には複数の第２分割調光データ（ＤＳＳ２）がライトされる。フレームバッファー部１１０_５は、期間（Ｔ６）の間、第１サブメモリ１１０_４１から複数の第１分割調光データ（ＤＳＳ５）をリードする。第２カウンティング信号（Ｃｏｕｎｔ２）が‘００’である期間（Ｔ７）の間、フレームバッファー部１１０_５は、第２サブメモリ１１０_４２から複数の第２分割調光データ（ＤＳＳ６）をリードする。このような方法により、各フレーム別に対応する複数の第１分割調光データ（ＤＳＳ１、ＤＳＳ３、ＤＳＳ５）及び複数の第２分割調光データ（ＤＳＳ２、ＤＳＳ��、ＤＳＳ６）が発光信号（ＣＬＳ）として出力される。
【００６０】
一方、フレームバッファー部１１０_５は、各サブメモリからリードした複数の第１分割調光データ及び第２分割調光データを交互に配列して、発光信号（ＣＬＳ）を生成する。つまり、期間（Ｔ２）と期間（Ｔ３）が重なる期間（Ｔ２３）の間、フレームバッファー部１１０_５は、第１サブメモリ１１０_２１からリードした複数の第１分割調光データ（ＤＳＳ１）と、第２サブメモリ１１０_２２からリードした複数の第２分割調光データ（ＤＳＳ２）を交互に配列する。同様に、期間（Ｔ４）と期間（Ｔ５）が重なる期間（Ｔ４５）の間、フレームバッファー部１１０_５は、第１サブメモリ１１０_３１からリードした複数の第１分割調光データ（ＤＳＳ３）と第２サブメモリ１１０_３２からリードした複数の第２分割調光データ（ＤＳＳ４）を交互に配列する。そして、期間（Ｔ６）と期間（Ｔ７）が重なる期間（Ｔ６７）の間、フレームバッファー部１１０_５は、第１サブメモリ１１０_４１からリードした複数の第１分割調光データ（ＤＳＳ５）と第２サブメモリ１１０_４２からリードした複数の第２分割調光データ（ＤＳＳ６）を交互に配列する。このように、フレームバッファー部１１０_５が第１分割調光データと第２分割調光データを交互に配列する理由は、本発明のアダプティブスキャニング方式により、複数の走査信号が複数の走査ライン（Ｓ１〜Ｓｐ）に二回伝達されるためである。
【００６１】
図８は、本発明の実施形態によるモーションフラグ信号（ＭＳ）、調光信号（ＤＳ）、比率制御信号（ＲＣ）、複数の第１分割調光データ（ＤＳＳ１、ＤＳＳ３、ＤＳＳ５）、及び第２分割調光データ（ＤＳＳ２、ＤＳＳ４、ＤＳＳ６）を示した図である。
【００６２】
図８は、調光信号（ＤＳ）の複数の調光データが、モーションフラグ信号（ＭＳ）に応じた信号分割及び比率演算を通じて、複数の第１分割調光データ及び第２分割調光データに分割されることを説明するためのものである。図８では、説明の便宜のために、モーションフラグ信号（ＭＳ）、調光信号（ＤＳ）、比率制御信号（ＲＣ）、複数の第１分割調光データ（ＤＳＳ１、ＤＳＳ３、ＤＳＳ５）、及び第２分割調光データ（ＤＳＳ２、ＤＳＳ４、ＤＳＳ６）を１０進法で表現する。
【００６３】
図８を参照すれば、ｎ番目のフレーム（ａ）で、モーションフラグ信号（ＭＳ）がローレベル（０）である領域は、比率制御信号（ＲＣ）が５０％発生されて、複数の第１分割調光データ（ＤＳＳ１）及び第２分割調光データ（ＤＳＳ２）の比率が各々５０％となる。例えば、当該領域の調光データが‘２００’であれば、複数の第１分割調光データ（ＤＳＳ１）は‘１００’となり、複数の第２分割調光データ（ＤＳＳ２）も‘１００’となる。その後、ｎ+１番目のフレーム（ｂ）で、当該領域のモーションフラグ信号（ＭＳ）がハイレベル（１）になれば、比率制御信号（ＲＣ）が６０％発生されて、複数の第１分割調光データ（ＤＳＳ３）の比率が６０％に増加し、複数の第２分割調光データ（ＤＳＳ４）の比率は４０％に減少する。そうなると、複数の第１分割調光データ（ＤＳＳ３）は‘１２０’となり、複数の第２分割調光データ（ＤＳＳ２）は‘８０’となる。その後、ｎ+２番目のフレーム（ｃ）で、当該領域のモーションフラグ信号（ＭＳ）がローレベル（０）になれば、比率制御信号（ＲＣ）が５０％発生されて、複数の第１分割調光データ（ＤＳＳ５）の比率が５０％に再び減少し、複数の第２分割調光データ（ＤＳＳ６）の比率は５０％に再び増加する。そうなると、複数の第１分割調光データ（ＤＳＳ５）は再び‘１００’となり、複数の第２分割調光データ（ＤＳＳ６）も再び‘１００’となる。この時、連続的にモーションフラグ信号（ＭＳ）がローレベル（０）であっても、比率制御信号（ＲＣ）は５０％未満に減少せず、連続的にモーションフラグ信号（ＭＳ）がハイレベル（１）であれば、比率制御信号（ＲＣ）は１００％まで上昇する。
【００６４】
以上で、本発明の実施形態を通じて説明したが、本発明はこれに限定されず、特許請求の範囲で定義している本発明の基本概念を利用した当業者の色々な変形及び改良形態もまた、本発明の権利範囲に属する。
【符号の説明】
【００６５】
１００・・・  発光装置
１１０・・・  制御部
１１０_１・・・  データ処理部
１１０_２・・・  第１メモリ
１１０_２１、１１０_３１、１１０_４１・・・  第１サブメモリ
１１０_２２、１１０_３２、１１０_４２・・・  第２サブメモリ
１１０_３・・・  第２メモリ
１１０_４・・・  第３メモリ
１１０_５・・・  フレームバッファー部
１１０_６・・・  制御信号生成部
１１０_７・・・  第１カウンター
１１０_８・・・  第２カウンター
１１２・・・  コラム駆動部
１１２_１・・・  ＰＷＭクロック生成部
１１２_２・・・  発光信号変調部
１１２_３・・・  発光駆動部
１１４・・・  走査駆動部
１１６・・・  表示部
１５０・・・  ビデオプロセッサー
２００・・・  局部明るさ制御部
２１０・・・  調光信号生成部
２２０・・・  モーションフラグ信号生成部
２３０・・・  比率制御信号生成部
２４０・・・  発光制御信号生成部
３００・・・  液晶表示板組立体
３０２・・・  共通電極
３０４・・・  色フィルター
３０６・・・  上部表示板
３０８・・・  画素電極
４００・・・  ゲート駆動部
５００・・・  データ駆動部
６００・・・  信号制御部
８００・・・  階調電圧生成部
【図１】
2011039474.tif 000003
【図２】
2011039474.tif 000004
【図３】
2011039474.tif 000005
【図４】
2011039474.tif 000006
【図５】
2011039474.tif 000007
【図６】
2011039474.tif 000008
【図７】
2011039474.tif 000009
【図８】
2011039474.tif 000010